(57)【要約】【課題】線状発光体の発光が線内において均一化することができ、照度を向上させることができる発光体ユニットを提供する。【解決手段】発光体ユニット１００は、導光体１２と反射層１４とを含む線状発光体１０と、線状発光体１０の端面１０ａに対して対向する位置に設けられ、導光体１２に向けて光を出射する光源２０と、光源２０の周囲に、線状発光体１０の端面１０ａに対して対向配置されたリフレクター３０とを含む。線状発光体１０の端面１０ａと向かい合うリフレクター３０の内面の形状は、紡錘状をしていることができる。【選択図】図１
2012048991.tif 000002
【特許請求の範囲】
【請求項１】
導光体と、反射層とを含む線状発光体と、
前記線状発光体の端面に対して対向する位置に設けられ、前記線状発光体の導光体に向けて光を出射する光源と、
前記光源側の前記線状発光体の端面に対して対向配置されたリフレクターとを含む発光体ユニット。
【請求項２】
請求項１において、
前記リフレクターの周端は前記線状発光体の端面と接するように設けられている発光体ユニット。
【請求項３】
請求項１又は２において、
前記線状発光体の端面と向かい合う前記リフレクターの内面の形状は、紡錘状をしている発光体ユニット。
【請求項４】
請求項１〜３のいずれかにおいて、
前記線状発光体の端面と向かい合う前記リフレクターの内面は、放物曲線で作られた曲面である発光体ユニット。
【請求項５】
請求項１において、
前記リフレクターは、前記線状発光体の端面上に設けられた反射膜により構成されている発光体ユニット。
【請求項６】
請求項１〜５のいずれかにおいて、
前記光源に隣接して前記光源において発生した熱を放出するための熱放出部を含む発光体ユニット。
【請求項７】
導光体と、反射層とを含む線状発光体と、
前記線状発光体の一方の端面に対して対向する位置に設けられ、前記線状発光体の導光体に向けて光を出射する第１の光源と、
前記第１の光源の周囲に、前記線状発光体の一方の端面に対して対向配置された第１のリフレクターと、
前記線状発光体の他方の端面に対して対向する位置に設けられ、前記線状発光体の導光体に向けて光を出射する第２の光源と、
前記第２の光源の周囲に、前記線状発光体の一方の端面に対して対向配置された第２のリフレクターと、を含む発光体ユニット。
【請求項８】
請求項７において、
前記線状発光体は、Ｕ字状をしており、
前記第１の光源および前記第２の光源は、同一の回路基板を兼用している発光体ユニット。
【請求項９】
導光体と、反射層とを含む線状発光体と、
前記線状発光体の端面に対して対向する位置に設けられ、前記線状発光体の導光体に向けて光を出射する光源と、を含み、
前記光源側の前記線状発光体の端面は、放物曲線で作られた曲面を有し、かつ、鏡面状態となっている発光体ユニット。
【請求項１０】
請求項９において、
前記曲面は、反射した光が前記線状発光体の長さ方向に平行に反射するように構成されている発光体ユニット。
【発明の詳細な説明】
【技術分野】
【０００１】
本発明は、導光性を有する発光体に光を導入し、発光体を発光させる発光体ユニットに関する。
【背景技術】
【０００２】
反射層を有する線状発光体が提案されている（特許文献１参照）。この線状発光体の端面から、ＬＥＤ光を導入し、反射層で反射させて線状発光体を発光させるものである。
【先行技術文献】
【特許文献】
【０００３】
【特許文献１】特開２００３−１４１９０４号公報
【発明の概要】
【発明が解決しようとする課題】
【０００４】
本発明の目的は、線状発光体の発光が線状発光体の全体において均一化することができ、照度を向上させることができる発光体ユニットを提供することにある。
【課題を解決するための手段】
【０００５】
第１の本発明に係る発光体ユニットは、
導光体と、反射層とを含む線状発光体と、
前記線状発光体の端面に対して対向する位置に設けられ、前記線状発光体の導光体に向けて光を出射する光源と、
前記光源側の前記線状発光体の端面に対して対向配置されたリフレクターとを含む。
【０００６】
本発明者によれば、線状発光体に光を出射する光源の周囲に、リフレクターを線状発光体の端面に対して対向配置することで、光が線状発光体の内部により深く進み、線状発光体の発光が全体において均一化を図ることができ、輝度が増すことを見出した。
【０００７】
本発明において、前記リフレクターの周端は前記線状発光体の端面と接するように設けられていることができる。これによれば、光源から出射された光が漏れるのを確実に防ぐことができる。
【０００８】
本発明において、前記線状発光体の端面と向かい合う前記リフレクターの内面の形状は、紡錘状をしていることができる。これによれば、リフレクターが光源から出射された光の混合および反射をより確実にすることができ、線状発光体の発光がより均一になり、より輝度が増す。
【０００９】
本発明において、前記線状発光体の端面と向かい合う前記リフレクターの内面は、放物曲線で作られた曲面であることで、線状発光体の発光の均一性と輝度がより向上する。
【００１０】
本発明において、前記リフレクターは、前記線状発光体の端面上に設けられた反射膜により構成されていることができる。これによれば、線状発光体の端面に蒸着や塗装などによりリフレクターを設けることができるため、リフレクターの形成が容易であると共に、部品点数を減らすことができる。
【００１１】
本発明において、前記光源に隣接して前記光源において発生した熱を放出するための熱放出部を含むことができる。これによれば、光源で発生した熱により、隣接する部材が熱により変形したり、光源自体の熱による劣化を防ぐことができる。
【００１２】
本発明の第２の発光体ユニットは、
導光体と、反射層とを含む線状発光体と、
前記線状発光体の一方の端面に対して対向する位置に設けられ、前記線状発光体の導光体に向けて光を出射する第１の光源と、
前記第１の光源の周囲に、前記線状発光体の一方の端面に対して対向配置された第１のリフレクターと、
前記線状発光体の他方の端面に対して対向する位置に設けられ、前記線状発光体の導光体に向けて光を出射する第２の光源と、
前記第２の光源の周囲に、前記線状発光体の一方の端面に対して対向配置された第２のリフレクターと、を含む。
【００１３】
本発明によれば、線状発光体の両端から光が導かれるため、線状発光体の発光の均一性が増し、また、輝度が増すこととなる。
【００１４】
本発明において、前記線状発光体は、Ｕ字状をしており、前記第１の光源および前記第２の光源は、同一の回路基板を兼用していることができる。これによれば、２つの光源を同一の回路基板により兼用しているため、部品点数を減らすことができる。また、一方側に光源およびリフレクターを集約することができるため、防水加工など種々の加工がし易いというメリットがある。
【００１５】
本発明の第３の発光体ユニットは、導光体と、反射層とを含む線状発光体と、
前記線状発光体の端面に対して対向する位置に設けられ、前記線状発光体の導光体に向けて光を出射する光源と、を含み、
前記光源側の前記線状発光体の端面は、放物曲線で作られた曲面を有し、かつ、鏡面状態となっている。
【００１６】
これによれば、線状発光体の端面を放物曲線で作られた曲面で構成した場合に、線状発光体の端面が平面の場合に比べて、線状発光体の内部に導入された光が端部において反射される光の割合が増えることを見出すと共に、その光が線状発光体においてより深く進むことを見出した。つまり、光源側の線状発光体１０の端面が、放物曲線で作られた曲面を有し、かつ、鏡面状態となっていることで、端面自体がリフレクターの機能を有することとなる。
【００１７】
本発明において、前記曲面は、反射した光が前記線状発光体の長さ方向に平行に反射するように構成されていることができる。これによれば、線状発光体の端面で反射した光が線状発光体の内部により深く進むことになる。
【図面の簡単な説明】
【００１８】
【図１】第１の発光体ユニットを模式的に示す図である。
【図２】第１の発光体ユニットを模式的に示す図である。
【図３】第１の発光体ユニットを模式的に示す図である。
【図４】第１の発光体ユニットを模式的に示す図である。
【図５】第１の発光体ユニットを模式的に示す図であり、（ａ）はその正面図であり、（ｂ）はその上面図であり、（ｃ）は（ｂ）のＡ−Ａ線に沿った断面図であり、（ｄ）はその側面図であり、（ｄ）はその斜視図である。
【図６】第１の発光体ユニットの作用効果を説明するための図である。
【図７】第２の発光体ユニットを模式的に示す図である。
【図８】第２の発光体ユニットを模式的に示す図である。
【図９】第３の発光体ユニットを模式的に示す図である。
【図１０】第４の発光体ユニットを模式的に示す図である。
【図１１】第４の発光体ユニットの作用効果を説明するための図である。
【図１２】線状発光体の断面形状の例を模式的に示す図である。
【図１３】発光体ユニットをフェンスに適用した例を示す図である。
【図１４】発光体ユニットを手すりに適用した例を示す図である。
【発明を実施するための形態】
【００１９】
以下、本発明の好適な実施の形態について詳細に説明する。
【００２０】
１．発光体ユニット
（１）第１の発光体ユニットの例
図１は、第１の発光体ユニットを模式的に示す図である。
【００２１】
第１の発光体ユニット１００は、線状発光体１０と、光源２０と、リフレクター３０とを含む。
【００２２】
線状発光体１０は、導光体１２と反射層１４とを含む。線状発光体１０は、その端面１０ａから入射された光源２０からの光を反射層１４で拡散反射させ、その長さ方向の側面から出射させるものである。導光体１２の材質は、導光性を有するものであれば限定されず、たとえばアクリルやガラスなどから構成される。反射層１４は、導光体１２の長さ方向に沿って帯状に設けられている。反射層１４の材質は、光を拡散反射できるものであれば特に限定されず、公知の白色顔料又は散乱材を適用することができる。線状発光体１０として、たとえば特開２００３−１４１９０４号公報に開示されている技術を適用することができる。光が入射する線状発光体１０の端面１０ａは、平面、凹面又は凸面であってもよい。
【００２３】
光源２０は、線状発光体１０の端面１０ａに対して対向する位置に設けられ、線状発光体１０の導光体１２に向けて光を出射する。光源２０としては、たとえば、ＬＥＤが挙げられる。
【００２４】
リフレクター３０は、線状発光体１０の端面１０ａに対して対向配置されている。リフレクター３０は光源２０の周囲に設けられている。具体的には、リフレクター３０は、光源２０をリフレクター３０の内面側に通すための開口部が設けられている。リフレクター３０は、たとえば樹脂（ＡＢＳ樹脂など）にアルミニウムを蒸着したものや、アルミニウムの鋳物などからなることができる。リフレクター３０は、光の反射と混合が可能な混合反射面から構成されることが好ましく、光を反射させる機能と光を混合させる機能とを有する。リフレクター３０により、光源２０から出射された光が外に漏れないようにすると共に、端面１０ａで反射された光をリフレクター３０により反射させ、線状発光体１０の導光体１２に導くことができる。リフレクター３０は線状発光体１０の端面１０ａを覆うように設けられている。具体的には、リフレクター３０の周端が線状発光体１０の端面１０ａと接し、光が外へ逃げないようにしている。線状発光体１０の端面１０ａと向かい合うリフレクター３０の内面の形状は、紡錘状をしていることができ、特に、そのリフレクター３０の内面は、放物曲線で作られた曲面であることが好ましく、放物曲線のうち、反射した光が線状発光体１０の長さ方向に平行に反射するような曲線であることがより好ましい。
【００２５】
線状発光体１０の一端に光源２０およびリフレクター３０を設けた場合に、他端に反射板１６を設けてもよいし、又は、図２に示すように、線状発光体１０の両端に光源２０ａ，２０ｂおよびリフレクター３０ａ，３０ｂを設けてもよい。
【００２６】
線状発光体１０の一端側のみに光源２０を設けた場合には、図３に示すように、反射層１４を光源２０から離れるに従って幅が広くなるように設けることができる。これにより、幅が狭い分だけ、光源２０の近くにおいて光が線状発光体１０の側面から射出される光量を減らすことができるため、光源２０から離れたところまで光が導光されることになる。
【００２７】
また、線状発光体１０の両端に光源２０を設けた場合には、図４に示すように、反射層１４は線状発光体１０の中央部が最も幅が広くなるように設けることができる。この場合において、両端から光が導入されるため、最も光が届きにくいのは中央部であるため、このような構成にすると全体がより均一に発光することとなる。
【００２８】
図５に示すように、光源２０に隣接して光源２０において発生した熱を放出するための熱放出部４０を設けることができる。熱放出部４０は、熱を逃がすために表面積を確保するという観点から、ひだ状又は蛇腹状とすることができる。熱放出部４０の材質は、たとえばアルミニウムを挙げることができる。リフレクター３０および熱放出部４０をアルミニウムで一体成形してもよい。構成発光体ユニット１００は、たとえば、図５に示すように、補強材５０に保持することができる。このように発光体ユニット１００を補強材５０に保持することで、発光体ユニット１００の破損を防ぐことができる。
【００２９】
第１の発光体ユニットによれば、次の作用効果を奏することができる。
【００３０】
本願発明者は、光源２０の周囲にリフレクター３０を設けることで、線状発光体１０の発光が全体において均一化を図ることができ、かつ、輝度が増すことを見出した。つまり、リフレクター３０を用いた場合（図６（ｄ））には、リフレクター３０を用いない場合（図６（ａ）〜（ｃ））に比べて、光源２０から導光体１２内に入射された光が導光体１２の長さ方向へ進む度合いが深くなることを見出した。なお、図６（ａ）は線状発光体の端面が凹面であり、図６（ｂ）は線状発光体の端面が平面であり、図６（ｃ）は線状発光体の端面が球凸面である。
【００３１】
（２）第２の発光体ユニットの例
第２の発光体ユニット２００は、図７および図８に示すように、リフレクター３０が線状発光体１０の端面１０ａ上に設けられた反射膜により構成されている点で、第１の発光体ユニットと異なる。これ以外の点は、第１の発光体ユニットと同様の構成をとることができるため詳細な説明を省略する。反射膜は、光源２０の光が入射される部分を除くかたちで設けられている。つまり、反射膜は光源２０の光が入射される部分に開口部が設けられている。反射膜は、反射機能を有する材質（たとえばアルミニウム）であれば限定されず、アルミ蒸着や、塗装メッキ等により形成することができる。この場合において、線状発光体１０の端面１０ａは、湾曲させて設けることができる。線状発光体１０の端面１０ａの形状は、紡錘状をしていることができ、特に、そのリフレクター３０の内面は、放物曲線で作られた曲面であることが好ましい。放物曲線で作られた曲面は、反射した光が線状発光体１０の長さ方向に平行に反射するように構成されていることができる。第２の発光体ユニット２００によっても、第１の発光体ユニット１００と同様の作用効果を奏することができ、第１の発光体ユニット１００に比べて、光源２０から導光体１２内に入射された光が導光体１２の長さ方向へ進む度合いがより深くなることを見出した。第２の発光体ユニット２００によれば、反射膜を設ければ済むため、部品点数を削減することができる。さらに、線状発光体１０の端面１０ａが曲面形状となるように形成し、反射膜を設けることで形成できるため、製造が容易である。
【００３２】
光源２０は、反射膜から構成されるリフレクター３０に対して、図８（ａ）のように外側に設けられてもよいし、又は、図８（ｂ）のように線状発光体１０の端部に凹部が設けられその凹部に収容するように設けてもよい。
【００３３】
（３）第３の発光体ユニットの例
第３の発光体ユニット３００は、図９に示すように、線状発光体１０がＵ字状をしている点で、第１および第２の発光体ユニット１００,２００と異なる。これ以外の点は、第１および第２の発光体ユニット１００，２００と同様の構成をとることができるため、詳細な説明を省略する。２つの端面１０ａ，１０ｂのそれぞれに光源２０ａ，２０ｂが設けられている。この光源２０ａ，２０ｂは、同一の回路基板２２を兼用することができる。これにより部品点数を減らすことができ、同一の側から光を線状発光体１０内に導入することができ、防水加工のし易さや光源の取扱の容易さという観点で利点がある。第３の発光体ユニット３００によっても、第１の発光体ユニット１００と同様の作用効果を奏することができる。
【００３４】
（４）第４の発光体ユニットの例
第４の発光体ユニット３１０は、図１０に示すように、光源２０側の線状発光体１０の端面１０ａが、放物曲線で作られた曲面を有し、かつ、鏡面状態となっている。具体的には、放物曲線で作られた曲面は、反射した光が線状発光体の長さ方向に平行に反射するように構成されていることができる。本願発明者は、線状発光体１０の端面を放物曲線で作られた曲面で構成した場合（図１１（ｂ））に、線状発光体１０の端面が平面の場合（図１１（ａ））に比べて、線状発光体１０の内部に導入された光が端部において反射される光の割合が増えることを見出すと共に、その光が線状発光体１０においてより深く進むことを見出した。つまり、光源２０側の線状発光体１０の端面１０ａが、放物曲線で作られた曲面を有し、かつ、鏡面状態となっていることで、端面１０ａ自体がリフレクターの機能を有することとなる。
【００３５】
光源２０側の線状発光体１０の端面１０ａを鏡面状態とするためには、鏡面処理を施してもよく、又は成形（たとえばインサート成形）時に鏡面状態となるように成形してもよい。鏡面処理は、表面を平滑にして鏡面状態にする方法であれば特に限定されず、公知の方法を適用することができる。
【００３６】
２．線状発光体の変形例
線状発光体１０は、図１２（ａ）に示すように断面形状が円形であることに限定されず、図１２（ｂ）〜（ｆ）に示すように、たとえば、複数の円が融合した形態であってもよい。複数の円が融合した形態の場合に、各円に対応させて光源を設けることができる。線状発光体１０の反射層１０の反射面は直線状であると、線状発光体１０の機能を発揮する上で好適である。
【００３７】
３．発光体ユニットの適用例
上記の発光体ユニット１００，２００，３００は、照明器具や装飾用の器具に広く適用することができる。第１〜第４の発光体ユニット１００，２００，３００，３１０は、特に、視覚に訴える意匠性を向上させるものや、限られた空間を照らす照明器具として好適である。
【００３８】
上記の発光体ユニット１００，２００，３００，３１０は、たとえば、橋のフェンスや、手すりなど適用することができる。橋のフェンスに適用した場合には、図１３に示すように、たとえば、フェンスの縦棒４００に適用することができる。フェンスの縦棒４００に適用される発光体ユニットは図５に示す補強材５０で補強された発光体ユニットが好適である。
【００３９】
手すりに適用した場合には、図１４に示すように、３つの発光体ユニットを保持する部分５００があり、一つ目に壁面照明用の発光体ユニット５１０、二つ目に手すり視認用の発光ユニット５２０、三つ目に足元灯の発光ユニット５３０として適用することができる。
【００４０】
限られた空間を照らす照明器具としては、冷蔵庫用の照明器具、金庫の照明器具、ワインクーラーの照明器具、引き出しやタンスなどの照明器具に適用することができる。また、発光体ユニットを壁面（たとえばコンクリート壁面）に設けてもよい。
【００４１】
本実施の形態は、本発明の範囲内において種々の変形が可能である。
【産業上の利用可能性】
【００４２】
本発明の発光体ユニットは、照明器具などに広く適用することができる。
【符号の説明】
【００４３】
１０    線状発光体
１２    導光体
１４    反射拡散層
１６    反射板
２０    光源
２２    回路基板
３０    リフレクター
４０    熱放出部
５０    補強材
１００，２００，３００，３１０  発光体ユニット
【図１】
2012048991.tif 000003
【図２】
2012048991.tif 000004
【図３】
2012048991.tif 000005
【図４】
2012048991.tif 000006
【図５】
2012048991.tif 000007
【図６】
2012048991.tif 000008
【図７】
2012048991.tif 000009
【図８】
2012048991.tif 000010
【図９】
2012048991.tif 000011
【図１０】
2012048991.tif 000012
【図１１】
2012048991.tif 000013
【図１２】
2012048991.tif 000014
【図１３】
2012048991.tif 000015
【図１４】
2012048991.tif 000016